Podtech/llm-jp-corpus-v4-ja_patent huggingface dataset:
(57)【要約】      （修正有）【課題】港湾施設構造物の一部である車止が常時塩風に暴露されることの因果として塩害劣化現象が生じている現実があることに鑑み、本考案採用により日本全国の岸壁に設置されている多くの既設の車止を塩害劣化の大きなファクターである塩風等の環境から遮断保護させること。【解決手段】塩害劣化の生じた車止を延命させるための解決手段として、当考案採用により耐塩害被覆補修構造とすることにより、塩風等の因果により生じる塩害現象に抵抗できる補修構造とする。【選択図】図１
0003123446.tif 000002
【実用新案登録請求の範囲】
【請求項１】
港湾施設構造物の一部でコンクリート岸壁に鋼板製型枠を埋め込み、その中に生コンクリートを打設した構造の車止（以後車止と記述する）が車両等の転落防止目的で数多く設置されているが、絶えず潮風等に暴露されることにより、塩害劣化している現実があり、この因果を遮断し塩害防止を図るために車止表層を耐塩害被覆修構造としたことを特徴とする耐塩害被覆補修構造の車止。
【請求項２】
▲１▼塩害劣化の生じた車止周囲の岸壁表層のコンクリートを幅５ｃｍ、深さ５ｃｍ程度に延長方向にはつり取とったトレンチ構造とした後、
▲２▼害劣化現象の生じた車止表層を下地処理（ケレン）後、その表層に難燃性エポキシアクリレート樹脂に耐塩害、耐紫外等の機能を有する有機及び無機の充填剤を配合し特殊変成した樹脂溶液（以後ＥＰＡ樹脂溶液と記述する）を塗布硬化させ、その表層に有機及び無機填剤により増粘したＥＰＡ樹脂溶液パテにより、不陸部を素地調整しＥＰＡ樹脂パテ硬化完了後、
▲３▼その車止表層にＥＰＡ樹脂溶液をグラスファイバー類に含浸被覆硬化させた複層のラミネート構造とし、前述▲１▼のトレンチ構造部にモルタルセメントを充填養生硬化させることにより耐塩害被覆補修構造となったことを特徴とする耐塩害被覆補修構造の車止。
【考案の詳細な説明】
【技術分野】
【０００１】  塩風に絶えず暴露されることによる因果で塩害劣化した既設の車止めを本考案採用により補修し共用寿命の延長を実現させる為の土木工事における維持補修管理の分野。
【背景技術】
【０００２】  岸壁近くに車両等の転落防止目的で設置されている車止であるが、絶えず塩風等に暴露される結果、経年変化により車止め表層が塩害劣化しているが、何の対策も無くなすがままに放置されており、車止の共用寿命の到来を待ち撤去・新設している現実がある。
【考案の開示】
【考案が解決しようとする課題】
【０００３】強力な腐食電解質溶液である塩風は潮解性を有し、構造物に付着すれば乾燥蒸発しにくく特に鉄鋼金属を塩害劣化させるが、岸壁に車両等の転落防止用に設置された車止が塩風により塩害腐食劣化現象が生じている事実に鑑み、塩害劣化防止という課題を解決することが本考案の主眼とする。
【課題を解決するための手段】
【０００４】  本考案は前述（０００３）の課題解決手段として塩風の因果で塩害劣化した既設車止をそのまま放置し共用寿命の到来を待つのではなく、本考案採用により塩害防止の手当てを施し車止の共用寿命の延長を実現。
【考案の効果】
【０００５】  本考案採用後の車止は塩風、紫外線等に対し頑強に抵抗性能を有する耐塩害被覆補修構造となり、塩風等を因果とした鋼板表層の塩害腐食劣化の律早要因を完全に遮断でき、車止の延命効果とメンテナンスフリー持続によるコスト縮減による費用対効果が生じ、安全性の向上が図れ、またそのことによる経済的な波及効果は大きい。
【考案を実施する為の最良の形態】
【０００６】本考案実施後は前述（０００５）記載のメリットが派生するわけであるが、考案実施にあたり実施対象である既設の車止表層が塩害により腐食劣化しているが鉄鋼鋼板としての金属機能が十分有する間に当考案を実施することにより共用寿命の大幅な延長が可能となり最良の形態となる。
【実施例】
【０００７】  図１は耐塩害被覆補修構造の車止の断面図。【０００８】  本考案による実施例を図面を参照に説明する。
車両等の転落防止用に岸壁に設置された多数の車止が、強力な潮解性を有した塩風に常時塩風に暴露され結果、Ａ、車止表層が経年変化により塩害劣化されている現実があるが、この塩害劣化された２、車止周囲の１、岸壁の表のコンクリートをはつり取りＢ、トレンチ構造とする。【０００９】  続いて塩害劣化されたＡ、車止表層にＣ、下地処理（ケレン）を施し、その表層に耐塩害、耐紫外線に頑強に抵抗できるＥＰＡ樹脂を塗布硬化させ、塗布硬化完了後Ａ、  車止表層に有機及び無機充填剤により増粘したＥＰＡ樹脂パテにより不陸部のＤ、素地調整を施し硬化養生させる。【００１０】  続いて硬化養生完了後のＡ、車止表層にグラスファイバー類にＥＰＡ樹脂を含浸被覆硬化させた複層のラミネート構造とし、前述（０００８）記載のＢ、トレンチ構造部にＥ、モルタルセメントを充填養生することにより耐塩害被覆補修構造の車止となる。
【産業上の利用可能性】
【００１１】  港湾施設構造物の一部であり、車両等の転落防止用に岸壁近くに設置されている車止であるが絶えず塩風等に暴露される結果、車止表層が経年変化により塩害腐食劣化されている現実があるが、なすがままに放置され共用寿命の到来と共に撤去・新設という結果になることは、言わずもがなのことである。
そこで本考案採用により車止の塩害防止を図り共用寿命の大幅な延長を実現させることの経済的波及効果は大きくまた、安全性の向上が実現する。
ストックアンドビルドの終焉と共に、維持管理の重要性が各所で論議されているさなか、本考案が採用による産業上の利用の可能性は大きい。
【図面の簡単な説明】
【００１２】
【図１】  耐塩害被覆補修構造の車止の断面図
【符号の説明】
１、岸壁
２、車止
Ａ、車止表層
Ｂ、トレンチ構造
Ｃ、下地処理部
Ｄ、素地調整部
Ｅ、モルタルセメント充填部
Ｆ、複層ラミネート構造部
【図１】
0003123446.tif 000003
【手続補正書】
【提出日】平成18年2月18日(2006.2.18)
【手続補正１】
【補正対象書類名】実用新案登録請求の範囲
【補正対象項目名】全文
【補正方法】変更
【補正の内容】
【実用新案登録請求の範囲】
【請求項１】
コンクリート岸壁と、この岸壁の上面に、その上面より巾狭で、且つ海側に片寄ることによって陸側に巾広面部を有する様に一体に形成された車止と、この車止に被さると共に、岸壁にその両下端を埋め込まれた鋼板製の下開口コ字型車止表層と、さらにこの鋼板製の下開口コ字型車止表層に被さると共に、海側の側片下端がその岸壁の角部を被覆し、且つ陸側の側片の下端が前記下開口コ字型車止表層に沿って岸壁に形成された剥離構内に入り込み、面もモルタル仕上げされてシールされる下開口コ字型ラミネート構造部とで成したことを特徴とする耐塩害被覆補修構造の車止。
(57)【要約】【課題】  自動車やオートバイのエンジンオイル交換の際、ドレンボルトをレンチで緩め手で回してボルトを外しているが、エンジンが熱いときはボルトが熱く、また熱いエンジンオイルが手にかかる危険があり、このため手袋を使用しているが作業性が悪い。【解決手段】  本考案はエンジンオイルのドレンボルトの外し工具であって、先端に磁石を内装したボルト受けを設け、このボルト受けに回転軸を接続し、２個の傘形歯車によって軸の回転を９０°変え、作業軸にハンドルを設けて、軸の回転をボルト受けに伝達すると共にボルト受けにオイル受皿を回転自在に設ける構造とする。【選択図】図４
0003123444.tif 000002
【実用新案登録請求の範囲】
【請求項１】
ボルト受け頭（２）に磁石を内装したボルト受け穴（３）を形成し、該ボルト受け頭（２）底部中央に立て形回転軸を接続し、２個の傘形歯車（４），（４）を組合せて直角に回転軸を設け、該回転軸に筒体を被装して主軸（１）とし、グリップ（７）及びハンドル（６）を設け、前記ボルト受け頭（２）の下部にオイル受皿（８）を回転自在に設けたことを特徴としたエンジンオイルのドレンボルト取外し工具。
【考案の詳細な説明】
【技術分野】
【０００１】  本考案は、エンジンオイルのオイルパンのドレンボルトの取外し工具に関する。
【背景技術】
【０００２】  自動車やオートバイなどのエンジンオイルの交換作業をするとき、オイルパンに付いているドレンボルトをボックスレンチやソケットレンチでドレンボルトを緩め、緩めたドレンボルトを手で回して抜き取るのが、一般的であるが、エンジンが熱いときはドレンボルトを素手で触れると熱く、またボルトを抜いたとき熱いエンジンオイルが手に掛り火傷をする場合もあるが、この熱いのを我慢してオイル交換の作業をしているのが現状である。
【特許文献１】特開２００３−２６０９１号公報
【考案の開示】
【考案が解決しようとする課題】
【０００３】  特にオートバイの場合、オイルパンはエキゾーストパイプが接近していて、手が触れて火傷を負うことがしばしばある。このため手袋をしてでの作業も考えてみるが、布手袋（軍手）の場合は熱いエンジンオイルが浸み込んで火傷が広がる欠点があり、ゴム手袋の場合はオイルのため滑って作業にならない。
【課題を解決するための手段】
【０００４】  考案者は、この点に鑑み鋭意研究を重ねた結果本考案の工具を完成させたものであって、本考案は傘型の歯車（４），（４）を組合せることによって横方向の回転を立ての回転に変えることにより、この立て回転軸にボルト受け頭（２）を装着することによって、このボルト受け頭（２）に予め緩めたドレンボルトＡを嵌合させ、横方向の回転主軸（１）のハンドルを回転することによって、ドレンボルトＡに直接手を触れることなくドレンボルトＡを抜くことができる。【０００５】  そして、本考案の工具にはオイル受け皿（８）が設けてあり、ドレンボルトＡを抜いた瞬間に流れ出る熱いオイルが受け皿（８）に流れ落ちて受けられ作業者の手に掛ることなく火傷を心配することもなく、また衣服を汚すこともない。
【考案の効果】
【０００６】  本考案のドレンボルト取外し工具は自動車やオートバイのエンジンオイル交換作業のとき、ドレンボルトＡを取り外すときの熱い思いや火傷の心配もなく、本案工具の遠隔操作によって簡単にボルトＡを取り外すことが出来るため面倒な作業とされているオイル交換を簡単に短時間で行えるため自動車修理工場やバイク店又はサービスステーション等できわめて有効に利用できる。
【考案を実施するための最良の形態】
【０００７】  添付図面により本工具の実施の最良の形態を説明すると、図１は本案工具の全体の構造を示す側面図であって、（１）は主軸であり、この主軸（１）は被装されている筒体の中に回転軸が挿通されていて、この軸端にハンドル（６）が設けられている。したがって、このハンドル（６）を回動することによって回転軸（符号なし）が回転し、他端の傘型歯車（４）が回動する。これによって噛み合っているもう一方の傘型歯車（４）が回動して、主軸（１）の横方向の回転が立軸（５）の回転に変換する。【０００８】  この立軸（５）の回転によって、立軸（５）の先端に軸着されているボルト受け頭（２）が回動する。図中の符号（７）はグリップであって、本案の工具を操作するときの手持ち部を示している。【０００９】  このボルト受け頭（２）は図２の平面図に示すようにオイルパンのドレンボルトＡに嵌合するような六角形のボルト受け穴（３）が設けられている。そしてこのボルト受け穴（３）の穴底には磁石Ｂが埋設られている。したがって主軸（１）のハンドル（６）を回転すると立軸（５）は２個の傘型歯車（４），（４）を介してハンドル（６）とは逆方向に回転する。【００１０】  図４を参照してハンドル（６）を図示するように時計方向（正回転）させればボルト受け頭（２）は逆回転し、このボルト受け穴（３）に嵌合されているドレンボルトＡは、同じように逆回転してオイルパンに螺合して締着しているドレンボルトＡは引き抜かれて脱落する。このとき穴（３）には磁石Ｂが埋設されているため磁着して穴（３）から落ちることがない。【００１１】  図３によりオイル受皿（８）を説明する。本考案の工具にはオイル受皿（８）を設ける。このオイル受皿（８）はプラスチック製で、形状については図示に限られることはないが、立軸（５）に挿通されていて自由に回動可能でボルト受け頭（２）の直下に設けられていて、前記の操作によってドレンボルトＡを抜く際に流れ出る熱いエンジンオイルを受け止めて一方向に流すことができ、このため手に熱いオイルが掛ることも衣服を汚すこともない。【００１２】  さらに図４はオートバイのエンジンとオイルパン及び本考案の工具との使用状態の実施例図であって図示の形式のオートバイエンジンに限ることなく、すべての自動車やオートバイのエンジンオイル交換の際に使用でき、本考案の工具は狭い場所や暗い場所でも不安なくオイル交換が簡単にできる。
【産業上の利用可能性】
【００１３】  本考案のエンジンオイルパンのドレンボルト取り外し工具は、エンジンオイル交換の際に直接ドレンボルトに手を触れることなく、ボルトを抜くことができるためオイル交換作業が簡単で気軽に受けられ、このため本考案の利用価値はきわめて大きい。
【図面の簡単な説明】
【００１４】
【図１】  本考案工具の全体を示す側面図
【図２】  ボルト受け頭の平面図
【図３】  オイル受け皿の側面図
【図４】  使用の形態を示す実施例図
【符号の説明】
【００１５】  （１）…主軸
（２）…ボルト受け頭
（３）…ボルト受け穴
（４）…傘型歯車
（５）…回転立軸
（６）…ハンドル
（７）…グリップ
（８）…オイル受け皿
（９）…角形台金
Ａ…オイルパンのボルト
Ｂ…磁石
【図１】
0003123444.tif 000003
【図２】
0003123444.tif 000004
【図３】
0003123444.tif 000005
【図４】
0003123444.tif 000006
(57)【要約】      （修正有）【課題】支えの形を随意に変化可能にしその為の連結部品強度化を計り丈夫な額縁を提供する。【解決手段】額縁枠（１）につながる軟質鉄製針金（２）は表面にプラスチックの被覆されており針金（２）に接続する部品（４）がある。針金先端は締め付け構造の部品（５）がある。この部品（５）には、更に部品（６）がありこの部品に（７）が開いて居り部品（４）と接続する。部品（７）の横断面は十字型である。プラスチック製枠内は空洞で液体を注入できるよう小穴があけてある。【選択図】図１
0003123441.tif 000002
【実用新案登録請求の範囲】
【請求項１】
（イ）写真挿入額縁枠（１）につながる軟質鉄製針金（２）の表面に、プラスチックの被覆（３）がある。
（ロ）額縁枠（１）はプラスチック製で、針金（２）につながる特殊部品（４）がある。
（ハ）軟質鉄製針金（２）の先端にカップ状の部品があり、この部品につながる部品（６）がある。この部品（６）の先に穴（７）があり、この穴にぶひん（４）が挿入される。
（ニ）穴（７）の横断面は十字型である。
（ホ）プラスチック製の額縁枠（１）の周囲は中空となっており、この中空には着色液体を注入することが出来る。枠（１）には液体注入が可能な小穴（８）がある。
上記（イ）〜（ホ）によりなる写真の額縁。
【考案の詳細な説明】
【技術分野】
【０００１】  この写真挿入額縁枠は、実用的で額縁枠の支え、置き場所が自由に選択できる。
しかも大部分がプラスチック製のため破損の恐れが少なく危険性がない。
【背景技術】
【０００２】  今までの写真の額縁にはガラス製、アルニウム合金製、プラスチック製、木材製等多種の原材料が使用されたものがあり、これら額縁の構成も種種雑多である。
その中で当品は原材料としてプラスチック及び軟質鉄製針金の二種類のみである。
なおこの小量の構成物は取扱いが万能である。
【考案の開示】
【考案が解決しようとする課題】
【０００３】  今までの額縁の形があまり単一で、設に不便な問題を解決する為に、今回の新しい技術で、支えの形を随意に変化可能にしその為の連結部品強度化を計り丈夫な額縁を、作る。
【課題を解決するための手段】
【０００４】  額縁枠（１）につながる軟質鉄製針金（２）は表面にプラスチックの被覆されており針金（２）に接続する部品（４）がある。針金先端は締め付け構造の部品（５）がある。この部品（５）には、更に部品（６）がありこの部品に（７）が開いて居り部品（４）と接続する。部品（７）の横断面は十字型である。プラスチック製枠内は空洞で液体を注入できるよう小穴があけてある。
【考案の効果】
【０００５】  今回の新しい技術は旧来の技術と比較してポイントはプラスチック被覆をほどこした、やわらかい即ち軟質鉄製針金である。この針金は額縁枠の支えは勿論、吊り下げにすることもできる、設置万能であり、猶、額縁枠と軟質鉄製針金の入った支え物の連結は堅牢にしてあり、更にこの針金の効用は枠の飾り物として様々な形にしたり、物体に巻きつかせることも可能である。
【実施例】
【０００６】  付図に示すようにわく（１）に針金（２）が（４）、（５）（６）、の部品よつて組み合わされ可撓的な支えものとなり堅牢に枠に取り付けられている。枠については中空空洞に液体が注入出来るよう小穴があけてあり，好みの着色液体を注入して美化する事が出来ます。
【図面の簡単な説明】
【０００７】
【図１】は実用的で、新型の額縁構  見取り図
【図２】は図１のＡ−Ａ  正面図
【図３】は図１のＢ−Ｂ  正面図
【図１】
0003123441.tif 000003
【図２】
0003123441.tif 000004
【図３】
0003123441.tif 000005
【手続補正書】
【提出日】平成18年1月26日(2006.1.26)
【手続補正１】
【補正対象書類名】実用新案登録請求の範囲
【補正対象項目名】全文
【補正方法】変更
【補正の内容】
【実用新案登録請求の範囲】
【請求項１】
（イ）写真挿入額縁枠（１）につながる軟質鉄製針金（２）の表面に、プラスチックの被覆（３）がある。
（ロ）額縁枠（１）はプラスチック製で、針金（２）につながる特殊部品（４）がある。
（ハ）軟質鉄製針金（２）の先端にカップ状の部品があり、この部品につながる部品（６）がある。この部品（６）の先に穴（７）があり、この穴にぶひん（４）が挿入される。
（ニ）穴（７）の横断面は十字型である。
（ホ）プラスチック製の額縁枠（１）の周囲は中空となっており、この中空には着色液体を注入することが出来る。枠（１）には液体注入が可能な小穴（８）がある。
上記（イ）〜（ホ）によりなる写真の額縁。
【手続補正書】
【提出日】平成18年4月17日(2006.4.17)
【手続補正１】
【補正対象書類名】実用新案登録請求の範囲
【補正対象項目名】全文
【補正方法】変更
【補正の内容】
【実用新案登録請求の範囲】
【請求項１】
（イ）  写真挿入額縁枠（１）につながる軟質鉄製針金（２）の表面に、プラスチックの被覆（３）がある。
（ロ）  額縁枠（１）はプラスチック製で、軟質鉄製針金（２）につながる部品（４）がある
（ハ）。軟質鉄製針金（２）の先端にカップ状の部品（５）があり、カップ状の部品（５）につながる部品（６）がある．この部品（６）に部品（４）が挿入される穴（７）がある。
（ニ）  穴（７）の横断面は十字形である。
（ホ）  プラスチック製の額縁枠（１）の周囲は中空になっており、この中空には着色液体を注入することができ、額縁枠（１）には液体の注入が可能な小穴（８）がある。
上記（イ）〜（ホ）よりなる  写真挿入の額縁。
(57)【要約】【課題】従来のポーチには必要なものだけを入れて持ち歩きたい場合でも他の具の収納袋としての機能もあり不要なものも一緒に入れて持ち歩くことが多く、そのため重さや容積が大きくなり、また忘れ物や盗難の場合などは当日不要なものまで損失の危険があった。【解決手段】本考案のポーチは、単体ポーチに付けたボタンやマジックテープなどで単体ポーチを複数個合体できる構造となっている。使用する場合は、必要とする物を目的別にそれぞれの単体ポーチに収納し、それぞれの単体で使用するケースと、合体して使用するケースとの使い分けができる機能により解決する。【選択図】図１
0003123450.tif 000002
【実用新案登録請求の範囲】
【請求項１】
ボタンやマジックテープなどで複数個のポーチを結合できる構造とし、用途に応じて単体または複数個を組み合わせ使用することを特徴としたポーチ。
【考案の詳細な説明】
【技術分野】
【０００１】  本考案は物を入れるポーチに関するものである。
【背景技術】
【０００２】  従来ポーチは内部にポケットや仕切りによって、内容物の種類を仕分けしていた。
【考案の開示】
【考案が解決しようとする課題】
【０００３】  これは以下のような欠点があった。【０００４】  例えば、必要なものだけ持ち歩きたい場合でも他の具の収納袋としての機能もあり不要なものも一緒に入れて持ち歩くことが多く、そのため重さや容積が大きくなり、また忘れ物や盗難の場合などは当日不要なものまで損失の危険があった。【０００５】  一般にポーチには多種のものを入れるための内ポケットや仕切りが必要なために製作工程が増え加工費が高くついた。
【課題を解決するための手段】
【０００６】  本考案のポーチは、ボタンやマジックテープにより単体ポーチを数個合体できる構造となっている。したがって使用する場合は必要とする物を目的別にそれぞれの単体ポーチに収納しておき、それぞれの単体で使用するケースと、合体して使用するケースとの使い分けができる機能により解決する。
【考案の効果】
【０００７】  本考案は従来のポーチを分離しても使用できるような構造としたことにより以下の効果が得られる。
１．使用するそれぞれの目的にあった利用ができるので、例えば外出先で分離しセカンドポーチ的な使い方ができること。
２．目的に応じて単体のポーチから必要な物を出したり、移し変えたりすることが不要である。必要なものだけを単体で持ち運べるため便利であること。
３．盗難や忘れ物をした場合は単体だけの被害であること。
【考案を実施するための最良の形態】
【実施例】
【０００８】  必要なものを収納した単体ポーチを組み合わせて持ち運び、外出先で必要に応じて単体でも使うことができる。
【図面の簡単な説明】
【０００９】
【図１】ポーチを組み合わせた側面の斜視図
【図２】組み合わせたポーチの断面図。
【符号の説明】
【０００８】  １  ポーチ単体
２  ボタン又はマジックテープ
３  ファースナー
【図１】
0003123450.tif 000003
【図２】
0003123450.tif 000004
【手続補正書】
【提出日】平成18年4月10日(2006.4.10)
【手続補正１】
【補正対象書類名】実用新案登録請求の範囲
【補正対象項目名】全文
【補正方法】変更
【補正の内容】
【実用新案登録請求の範囲】
【請求項１】
外側に取り付けたボタンや面ファースナーによって単体ポーチを複数個合わせることができ、目的や用途に応じて単体または複数個を合体して使用できる構造を特徴としたポーチ。
(57)【要約】      （修正有）【課題】簡単な構成で安価な植木鉢の自動給水装置を提供する。【解決手段】植木鉢６の受け皿２の長手方向中心部に，水溜め３を設け，その一方の両角に，給水ボトル１を倒立するための台４を一対設け，その台４の上に給水ボトル１を倒立する。他方に植木鉢６に内蔵した水分高吸収材７の一端を底部から外出させ，水溜め３の水５に浸るように植木鉢を載置する。【選択図】図４
0003123442.tif 000002
【実用新案登録請求の範囲】
【請求項１】
植木鉢の受け皿の中心部に水溜めを設け、その受け皿の一方に給水ボトルを倒立する台と、ガードを設け、他方に水分高吸収材を内部から底部を外出させた植木鉢を載置する。以上の構成よりなる植木鉢の自動給水装置。
【請求項２】
大きめの植木鉢、一鉢用として受け皿の形を丸形にした請求項１の植木鉢の自動給水装置。
【請求項３】
小さめの植木鉢、複数鉢用として受け皿の形を長方形にした請求項１の植木鉢の自動給水装置。
【請求項４】
受け皿の一方に複数の穴を設け、逆Ｕ字形に形成した番線を差し込んだ、ガードを設けた請求項１の植木鉢の自動給水装置。
【考案の詳細な説明】
【技術分野】
【０００１】  本考案は，植木鉢の受け皿に給水ボトルと水分高吸収材を内蔵した植木鉢を載置した植木鉢の自動給水装置に関するものである。
【背景技術】
【０００２】  従来の植木鉢の自動給水装置は，受け皿に全て専用の，受け皿カバー，植木鉢，給水タンク，給水調節具が装着されているものがある。（例えば，特許文献１参照）。
また，ケーシングの中に全て専用の，受け皿，植木鉢，貯水タンク，給水制御弁が装着されているものがある。（例えば，特許文献２参照）。
以下特許文献を示す。
【特許文献１】特開２００１−７８５９５
【特許文献２】実開    平７−１８４５０
【考案の開示】
【考案が解決しようとする課題】
【０００３】  自動給水装置を構成する一つ一つの部品が全て専用品であるため，形や大きさの違う部品は使用出来ないし，唯，一つの植木鉢のための装置としては構成が過多であり，案価に商品を供給することは，むずかしいと考えられる。このような欠点を解決するために考案されたものである。
【考案を解決するための手段】
【０００４】  植木鉢の受け皿の中心部に水溜めを設け，その一方の両角に給水ボトルを倒立する台とガードを設け，他方に水分高吸収材を内部から底部を外出させた植木鉢を載置する。
以上の構成よりなる植木鉢の自動給水装置。
【０００５】  大きめの植木鉢，一鉢用として受け皿の形を丸形に形成する。
【０００６】  小さめの植木鉢，複数鉢用として受け皿の形を長方形に形成する。
【０００７】  受け皿の一方に複数の穴を設け，逆Ｕ字形に形成した番線を差し込んだ，ガードを設ける。
【考案の効果】
【０００８】  本考案を構成する部品の給水ボトル，植木鉢は専用品ではないので，身近にある物を使用出来るし，水位調節具も使用していない等，構成を簡単にしてあるので安価に商品を供給出来る。
【０００９】  植物を元気に育成するためには、土が水分過多で、びしょびしょな状態を避けなければならないが植木鉢の底部を直接、水に浸していないので土がびしょびしょになることはなく、適度な湿り気を保つ。
【００１０】  一つの受け皿に複数の植木鉢を載置することが出来る。
【００１１】  受け皿の水留めは細長い溝様にして、面積を小さくしているので、水の蒸発が少ない。
【考案を実施するための最良の形態】
【００１２】  以下，本考案の実施の形態について説明する。
受け皿２の長手方向中心部に，長細い溝用の水溜め３を設け，その一方の両角に給水ボトル１を倒立するための台４を，水溜め３の底部より若干，高い位置で一対設け，給水ボトル１を安定倒立するガード１０を設ける。他方へ水分高吸収材７を内部から底部を外出させた植木鉢６を載置する。以上が本考案の構成である。【００１３】  次に本考案の使用方法を説明する。
まず給水ボトル１に水５を満たし，水５がこぼれないように給水ボトル１の口を指先で塞いで，逆さまにして台４の上まで持って行き，指先を離して口を台４の上に倒立させ，倒れないようにガード１０から輪ゴム９を回して固定する。そうすると給水ボトル１の水５が水溜め３に流出して水位が台４の高さ，すなわち給水ボトル１の口が浸るところで水５の流出は止まる。次に植木鉢６の土８の上に出ない位置あたりに，水分高吸収材７の最上部をガムテープで植木鉢６の内面に固定する。そして下の端を底部から若干，外出させておき，土８を入れて植物を植え，外出している水分高吸収材７が水溜め３の水５に浸るように受け皿２に載置する。そうすると植木鉢６の底部から外出している水分高吸収材７が水溜め３の水５を植木鉢６の内部まで吸い上げ，その水分を土８が吸収する。水溜め３の水位が下がれば給水ボトル１の口から空気が入り，水５が流出する，とゆう水５の動きの繰り返しにより水位は一定に保たれ，土８は適度な湿り気を保つ。【００１４】  植物を植えてから月日が経って，根と土が一つに固まっている植木鉢を自動給水する時は植物を土ごと一旦，植木鉢から取り出して一箇所，上から下まで土を崩す。次に前記と同じように植木鉢の内面に水分高吸収材を用意して，植物の土を崩した箇所と水分高吸収材が向き合うように植物を植木鉢へ戻し，崩した箇所へ崩した土を戻す。そして水分高吸収材が水溜めの水に浸るように植木鉢を受け皿に載置すれば，新しく植物を植えた場合と同じように自動給水する。【００１５】  水分高吸収材の一例として自重の６倍の水分を吸収する，ＰＶＡスポンジを使用すると効果は顕著である。【００１６】  受け皿に植木鉢を多数，載置出来るように受け皿の両端に給水ボトルを倒立出来るように形成することも出来る。【００１７】  大きめの植木鉢，一鉢用として受け皿の形を丸形（図１）に形成することも出来る。【００１８】  受け皿の端に複数の穴を設け，逆Ｕ字形に形成した番線を差し込んだ，ガード１１にすることも出来る。【００１９】  受け皿の材質としては、プラスチック或るいは錆びない金属でも形成出来るし、又は味わいのある焼き物で形成することも出来る。
【図面の簡単な説明】
【００２０】
【図１】本考案の一鉢用受け皿の斜視図
【図２】本考案の複数鉢用受け皿の斜視図
【図３】本考案の平面図
【図４】本考案の図３のａ−ａ断面図
【図５】本考案の図３のｂ−ｂ断面図
【図６】本考案の番線を逆Ｕ字形に形成したガード
【符号の説明】
【００２１】  １  給水ボトル
２  受け皿
３  水溜め
４  台
５  水
６  植木鉢
７  水分高吸収材
８  土
９  輪ゴム
１０  ガード
１１  ガード
【図１】
0003123442.tif 000003
【図２】
0003123442.tif 000004
【図３】
0003123442.tif 000005
【図４】
0003123442.tif 000006
【図５】
0003123442.tif 000007
【図６】
0003123442.tif 000008
(57)【要約】      （修正有）【課題】犬がふんをし、それを処理する時、チリ紙、紙、ミニシャベル等などで、処理しているが、取り残しや、放置したり手に残こる感触などの不快感の不都合を解消する。【解決手段】不透明な専用ビニールＡを、取り付けた、犬用のふん取り用具を、犬がふんをする体勢に入った時、この用具を犬のお尻の所に持って行き、この中にふんを受け取る。犬は、躾の一貫として行なう事により、ふんを取られる事に慣れ、簡単に取れるようになる。地面に、落とす事なく取れるので、特に、ゆるいふんの時など衛生的で、他人に不快感を与えず、臭いも残さず処理出来る取り終えれば、折りたたむ事が出来、クリップ３で止めて持ち帰えれば、不透明な専用ビニールＡの為周囲の人の目も気にせず処理する事が出来る。【選択図】図１
0003123445.tif 000002
【実用新案登録請求の範囲】
【請求項１】
犬のふんを、地面に落とす事なく、専用ビニール袋に受け取り、持ち帰えりが、便利で、処理する事が出来る、犬用ふん取り用具。
【考案の詳細な説明】
【技術分野】
【０００１】本考案は、犬のふんを、受け取り、処理する用具に関する。
【背景技術】
【０００２】従来は、犬のふんを地面にさせて、それをチリ紙や紙、ミニスコップ等で捨って、ビニール袋などに入れ持ち帰えっていた。
【考案の開示】
【考案が解決しようとする課題】
【０００３】しかし、これではきれいに地面から取れない場合や、ゆるいふんなんかは、特に拾いずらく、後も汚なく不衛生であり、チリ紙などで、捨う場合も、手に感触があり放置する人も多い。
〔課題を解決する為の手段〕【０００４】そこで犬は、ふんをする時、周囲の臭いをかいだり、その場所を、くるくる廻ったりと知らせ、身を縮め体勢をととのえます。
その時に、図１に示す、不透明の専用ビニール袋Ａを取り付けた用具を、そっと後や、横から差し出します。
お手や、おすわり同様、躾の一貫として、繰り返えす内犬もふんを取られる事に慣れて来て、簡単に取れる様になります。
【考案の効果】
【０００５】よって、地面に落とす事なく受け取るのですから、衛生的で手に感触も残らず、ゆるいふんなんかにも、特に便利です。
図１の専用ビニールＡも不透明な物を使用する事で、中が見えず、そして図２のように折りたたんで、クリップ３で止め持ち帰えれば良い為、周囲の人達の見た目も気にしなくても良い。
【考案を実施するための最良の形態】
【０００６】本考案に係る犬用ふん取り用具は、図３の本体に、図５の専用ビニールを組み合わせる事により、図１の示す形態になり、使用する事が出来る。
図５の専用ビニールＡを図３のふん取り部分２に内側から外側へ折り返し線Ｂまで、折り返す。
折り返えしを深くする事で、専用ビニールＡの落下を防ぐ
又、ふん取り部分２の内側の周囲と専用ビニールＡが同じ寸法の為、内側から外側に折り返す為、ビニールの伸縮性により、角々でピッタリと納まる
持ち手１の柄の長さも伸縮するので犬の状態により選択する事が出来る
【図面の簡単な説明】
【０００７】
【図１】本考案に係る、使用する時の状態の斜視図である
【図２】使用した後の持ち帰える状態の斜視図である
【図３】犬のふんを受け取る本体の斜視図である
【図４】犬のふんを受け取る本体を折りたたんだ状態の斜視図である
【図５】専用ビニールの正面図である
【図６】専用ビニールの斜視図である
【符号の説明】
【０００８】１  持ち手
２  ふん取り部分
３  クリップ
４  ストッパー
Ａ  専用ビニール
Ｂ  折り返えし線
【図１】
0003123445.tif 000003
【図２】
0003123445.tif 000004
【図３】
0003123445.tif 000005
【図４】
0003123445.tif 000006
【図５】
0003123445.tif 000007
【図６】
0003123445.tif 000008
【手続補正書】
【提出日】平成18年4月4日(2006.4.4)
【手続補正１】
【補正対象書類名】実用新案登録請求の範囲
【補正対象項目名】全文
【補正方法】変更
【補正の内容】
【実用新案登録請求の範囲】
【請求項１】
伸縮する持ち手（１）の先端に、クリップ（３）を介して、長方形の型をした、ふん取り部分（２）と、前記ふん取り部分（２）の内側に、開口部が同寸の専用ビニール（Ａ）を挟め合せた犬用のふん取り用具
【手続補正２】
【補正対象書類名】明細書
【補正対象項目名】全文
【補正方法】変更
【補正の内容】
【考案の詳細な説明】
【技術分野】
【０００１】本考案は、犬がふんをする時、地面に落ちる前に受け取り処理する用具に関する
【背景技術】
【０００２】従来は、犬にふんを地面にさせて、それをチリ紙や、紙、ミニスコップ等で拾ってビニール袋などに入れ持ち帰っていたが、これではきれいに地面から取れない場合や、また柔らかいふんなんかは特に拾うのが困難であり、後も汚なく不衛生である
【考案の開示】
【考案が解決しようとする課題】
【０００３】本考案は、ふんが地面に落下する前に受け取り、周囲の人達の目も気にする事なく、持ち帰りも便利な用具を提供する
【課題を解決するための手段】
【０００４】伸縮する持ち手の先端に、クリップを介して長方形の型をしたふん取り部分と、このふん取り部分の内側に、開口部が同寸の専用ビニールを挟め合せた犬用のふん取り用具を構成するなお、長方形の型をしたふん取り部分を中程より折りたたむ様にしても良いし、専用ビニールも不透明な物とすると良い
【考案の効果】
【０００５】よって地面に落とす事なく受け取るのですから、衛生的で、チリ紙などで取る時の感触も残らず、柔らかいふんなどは特に便利です図１の専用ビニールＡも不透明な物を使用すると中が見えず、図２の様に、中程より折りたためる様にすると、クリップ３で止めれば、持ち帰る時も、周囲の人達の目も気にしなくても良い
【考案を実施するための最良の形態】
【０００６】本考案は、図３〜図６の実施例に示す様に、ふん取り部分２に専用ビニールＡを内側から外側へ折り返し線Ｂまで折り返す折り返しを深くする事、又ビニールの伸縮性により長方形の角々にピッタリと納まる事により、ふんの重さによる落下防止となるふんを取り終えて、持ち帰る時は、上記に述べた様にふん取り部分を、折りたたんでクリップ３で止めるが、再度、使用しようとするならば、止めたクリップ３をはずせば、ストッパー４が付いている為、開閉が簡単に出来、ふんを取れる状態になる持ち手１の部分も、伸縮させる事により犬の大きさや、犬がふんをする場所、又は位置によって調整する事が出来る
【図面の簡単な説明】
【０００７】
【図１】本考案に係る使用する時の状態の斜視図である
【図２】使用した後に持ち帰る状態の斜視図である
【図３】犬のふんを受け取る本体の斜視図である
【図４】犬のふんを受け取る本体を折りたたんだ状態の斜視図である
【図５】専用ビニールの正面図である
【図６】専用ビニールの斜視図である
【符号の説明】
【０００８】１．持ち手２．ふん取り部分３．クリップ４．ストッパーＡ．専用ビニールＢ．折り返し線
(57)【要約】【課題】社交ダンス用靴の靴裏面の起毛皮革損耗による廃棄処分等の不都合解消。【解決手段】社交ダンス用靴Ａの靴裏面に接着した面ファスナー（雄部）１と、起毛皮革シートＢに接着した面ファスナー（雌部）２を貼り合わせて使用することにより、この課題を解決する。【選択図】図２
0003123443.tif 000002
【実用新案登録請求の範囲】
【請求項１】
本来、起毛皮革と一体成型されていた靴の裏面に面ファスナー（雄部）を設けることにより、着脱可能にした社交ダンス用靴。
【請求項２】
本来、社交ダンス用靴の裏面に一体成型されていた起毛皮革の裏面に面ファスナー（雌部）を設けることにより、着脱可能にした社交ダンス用靴の靴裏部分の起毛皮革シート。
【考案の詳細な説明】
【技術分野】
【０００１】本考案は、社交ダンス用靴に関する。
【背景技術】
【０００２】従来の社交ダンス用靴は靴本体と靴裏面の起毛皮革が一体成型されていた。
【考案が解決しようとする課題】
【０００３】しかし、これでは、社交ダンスのステップ（すり足や回転など）による靴裏面の起毛皮革の損耗により、靴に足がなじむ前に靴を廃棄処分するか、専門業者に起毛皮革の張替えを委託するしかなかった。
【課題を解決するための手段】
【０００４】そこで、靴本体と靴裏面の起毛皮革部分を分離し、靴本体の裏面に、足型に合わせた面ファスナーの雄部を、また、靴の足型に合わせて裁断した起毛皮革の裏面に面ファスナーの雌部の裏面を接着することで、面ファスナーによる靴本体（雄部）と靴裏面の起毛皮革（雌部）が着脱できる仕組みを考案した。
【考案の効果】
【０００５】本考案における社交ダンス用靴の面ファスナーによる靴裏面の起毛皮革の着脱方式により、靴裏面の起毛皮革が損耗しても、面ファスナー（雌部）が接着された新しい起毛皮革と交換することで、常に新品の状態で社交ダンス用靴を使用することが可能になる。その結果、誰にでも容易に社交ダンス用靴の再利用ができるようになった。また、面ファスナー自体がクッションの役割を果たし、履き心地の向上が見られた。
【図面の簡単な説明】
【０００６】
【図１】本考案に係る社交ダンス用靴と起毛皮革シートの側面図である。
【図２】本考案に係る社交ダンス用靴と起毛皮革シートの靴裏方向からの斜視図である。
【符号の説明】
Ａ  靴本体
Ｂ  起毛皮革シート
１  面ファスナー（雄部）
２  面ファスナー（雌部）
３  起毛皮革
【図１】
0003123443.tif 000003
【図２】
0003123443.tif 000004
【手続補正書】
【提出日】平成18年1月30日(2006.1.30)
【手続補正１】
【補正対象書類名】実用新案登録請求の範囲
【補正対象項目名】全文
【補正方法】変更
【補正の内容】
【実用新案登録請求の範囲】
【請求項１】
靴の裏面に面ファスナー（雄部）を設けることにより、起毛皮革を着脱可能にした社交ダンス用靴。
【請求項２】
社交ダンス用靴の裏面に一体成型されていた起毛皮革の裏面に面ファスナー（雌部）を設けることにより、着脱可能にした社交ダンス用靴の靴裏部分の起毛皮革シート。
(57)【要約】      （修正有）【課題】粉薬を飲む時こぼしたり、多種の錠剤を飲む時手間がかかる。高齢者、子供、寝ている人でも容易に薬を服用するための補具の提供。【解決手段】以下の部分を備えた薬服用補助具で、課題を解決する。薬を収容する部分・周囲に立ち上がりをつける。口の中に入れる出口部分・底部に勾配をつける。取っ手部分・色々な角度に持ち易いよう円弧の形状とする。【選択図】図１
0003123461.tif 000002
【実用新案登録請求の範囲】
【請求項１】
薬を口から服用する時の補助具。
錠剤や粉薬をまとめて収容する容器部分と、指で持つ取っ手部分と、口の中に挿入する部分と、が一体となった薬服用補助具。
【考案の詳細な説明】
【技術分野】
【０００１】本考案は、薬を口から服用する時の補助具に関する。
【技術背景】
【０００２】数種類の錠剤や粉薬を服用し易くする手段がなかった。
【考案の開示】
【考案が解決しようとする課題】
【０００３】粉薬を飲むときにこぼしたり、多種の錠剤を飲むとき同じ動作の繰り返しで高齢者や子供では手間がかかる。また寝ている人にも容易に、スムーズに服用できる必要がある。
【課題を解決するための手段】
【０００４】薬を収容する部分に、数種の粉薬や錠剤をまとめて入れる。
本体を傾けて口の中にあてる出口部分から、容易に薬を口の中に運ぶ薬服用補助具を考案した。
【考案の効果】
【０００５】薬を自ら飲む時もまとめて容易に服用できる。
寝ている人が顔を横にしていても服用し易い。
介護をする人が薬を与える場合、前からでも左、右からでも位置にこだわらず服用させ易い。
【考案を実施するための最良の形態】
【０００６】薬を収容する部分は、丸薬がこぼれないように周囲に立ち上がりをつける。
口の中に入れる出口部分は、薬を収容する時にこぼれないように底部に勾配をつける。
出口部分の管状の太さは、カプセル薬の長さより太くする。
取っ手部分は、色々な角度に持ち易いように円弧の形とする。
【図面の簡単な説明】
【０００７】
【図１】本考案に係る薬服用補助具の断面図である。
【図２】本考案に係る薬服用補助具の平面図である。
【符号の説明】
【０００８】１      薬を収容する部分
２      口に入れる出口部分
３      取っ手部分
ａ      薬を収容する部分の深さ
ｂ      出口部分の太さ
ｃ      取手部分の巾
【図１】
0003123461.tif 000003
【図２】
0003123461.tif 000004
【手続補正書】
【提出日】平成18年4月11日(2006.4.11)
【手続補正１】
【補正対象書類名】実用新案登録請求の範囲
【補正対象項目名】全文
【補正方法】変更
【補正の内容】
【実用新案登録請求の範囲】
【請求項１】
錠剤や粉薬をまとめて収容する容器部分と、指で持つ取っ手部分と、口の中に挿入する部分が一体となった形状を有する薬服用補助具。
(57)【要約】【課題】本考案は一度使用されたインクジェットカートリッジをインク補充により再度使用するために従来穴を開ける等の加工を必要があり、補充したインクが目詰まりにより出ない等の問題を解決するための考案である。又、補充時に汚れるなどの問題も課題とする。【解決手段】空気の通り道を塞ぎ、負圧をかけることによりインクタンク内を真空状態にしてインクを補充することにより、カートリッジを加工せず補充することが出来、インク出口からの補充によりインクの目詰まりの発生をなくす。且つインクにより汚れる等の問題を解決する考案である。【選択図】図２
0003123462.tif 000002
【実用新案登録請求の範囲】
【請求項１】
使用済みカートリッジにインクを注入し再使用する際、補充用インクの注入方法にインク出口からの注入を方法とした注入器でインクを注入する際の穴を開けるなどの加工を必要としない負圧を利用した注入方法。
【請求項２】
インクジェットカートリッジにおいてインクタンク又はスポンジ部にインクが入る形状になっている事を特徴とするインクジェットカートリッジ。
【考案の詳細な説明】
【技術分野】
【０００１】一度使用されたインクジェットカートリッジにインクを補充するための注入器の考案。
本考案は使用済みインクジェットカートリッジにインクを注入する際、カートリッジ自体に加工せずインク注入できる考案である。
【技術背景】
【０００２】従来の補充用インクはカートリッジに穴を開けたり、栓を抜くなどの作業が必要であり、手間がかかる。
【０００３】安易に補充作業の出来る方法でインクで手を汚すなどの問題点を極力無きようにする。
【考案の開示】
【考案が解決しようとする課題】
【０００４】従来のインク注入口からのインク補充又は、インクタンク側からの補充ではインク出口の目詰まりなどによりインクが出ない問題が発生する場合がある。
従来の方法ではインク注入するために加工が必要となり手間がかかる。
【課題を解決するための手段】
【０００５】インク出口部分からのインク注入によりカートリッジ本体に加工を必要とせず且つインク出口からのインク注入により目詰まり等の問題点も解決できる
加工を必要としないために空気の通り道とインク出口を塞ぐ形状のキヤップをセットし、インクの入っている注射器を一旦引くことでインクタンク内に負圧をかけて真空状態にする。
その後注射器を押し、インクを注入する事で加工をせずにインクを注入することが出来る。
【考案の効果】
【０００６】この方法により極力手間をかけずに作業出来、且つインクにより汚れるなどの問題を解決する。
又、インク出口の目詰まりの発生を回避し、正常に印刷できるようにする注入方法である。
【考案を実施するための最良の形態】
【０００７】使用するときに剥がす空気の通り道部分を押さえ、インクタンク内に負圧をかける事により空気の逃げ道が無くともインクを注入できるような形態にする。
空気の逃げ道が無くても注入できるため、穴を開ける又は栓を外す等の作業を行わなくても良い。
【実用例】
【０００８】以下、添付図面に従って本考案の一実例を説明する。
まず全体図の図１はインク注入器の全体図である。
図２はカートリッジにセットした上体である。
【０００９】図１の▲１▼はインクジェットカートリッジにセットするキヤップ部分である。
図１の▲２▼は注入するインクが入っている注射器部分である。
図２の▲３▼はカートリッジの空気の通り道を塞ぐ部分である。
図２の▲４▼はインク出口部分にセットされたインク注入口である。
図２の▲５▼はインクを注入する際のインクが通るチューブである。
【００１０】その他、本考案を実施するための最良の構成、形態、方法などは、以上の記載で開示されているが、本考案はこれに限定されるものではない。
すなわち、以上の記載は、主に特定の実施例に関して図示され、かつ説明されているが、本考案の技術的思想および目的の範囲から逸脱することなく、以上述べた実施例に対し、材質、形状、数量、その他の構成において、当業者が様々な変形を加えることができる。
【００１１】従って、以上に開示した材質、形状、数量などを限定した記載は、本考案の理解を容易にするために例示的に記載したものであり、本考案を限定するものではない。そのため、それらの材質、形状、数量などの一部もしくは全部の限定を外した記載は、本考案の技術的範囲に含まれる。
【産業上の利用可能性】
【００１２】一度使用されたインクジェットカートリッジにインクを再度注入することでカートリッジをそのまま再使用出来、使用者側のコスト削減に役立つ。
【図面の簡単な説明】
【００１３】
【図１】補充用インク注入器の全体図
【図２】インクジェットカートリッジにセットされた補充用インク注入器の全体図
【符号の説明】
【００１４】図１の▲１▼はインクジエットカートリッジにセットするキヤップ部分である。
図１の▲２▼は注入するインクが入っている注射器部分である。
図２の▲３▼はカートリッジの空気の通り道を塞ぐ部分である。
図２の▲４▼はインク出口部分にセットされたインク注入口である。
図２の▲５▼はインクを注入する際のインクが通るチューブである。
【図１】
0003123462.tif 000003
【図２】
0003123462.tif 000004
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
インクジェットカートリッジにおいて、インク注入器により空気の通り道とインク出口が塞がれる形状になっていることを特徴とするインクジェットカートリッジ。
(57)【要約】      （修正有）【課題】布帛の透けた部分より被せた治療用（エステ）ベッド、ソファー、クッション、布団等の色が見える。したがって色のコーディネイトと素材からの通気性、吸湿性、方湿性、抗菌性の実用性を兼ねることができ、被せる物の色により多様な色、柄となりカラーセラピー効果が得られる。【解決手段】布帛の横糸と縦糸との織り方により透ける部分を作り、その透けた部分から被せた治療用（エステ）ベッド、ソファー、クッション、布団等の色を出す事と通気性、吸湿性、方湿性に優れることを特徴とする。また、布帛の原料がとうもろこし、和紙、麻、綿等で織られることによって抗菌性も備え、廃棄処分された場合にも地中で分解する事が出来る自然環境に適応していることを特徴とする。【選択図】図１
0003123470.tif 000002
【実用新案登録請求の範囲】
【請求項１】
布帛の横糸と縦糸との織り方により透ける部分を作り、その透けた部分から被せた治療用(エステ)ベッド、ソファー、クッション、布団等の側地レザー及び布の色を出し、デザイン的にも斬新で通気性、吸湿性、放湿性に優れることを特徴とするカバー又はシーツ。
【請求項２】
前記布帛は竹、とうもろこし、和紙、麻、綿製糸等で織られていることを特徴とする請求項１記載のカバー又はシーツ。
【考案の詳細な説明】
【技術分野】
【０００１】
この考案は治療用(エステ)ベッド、ソファー、クッション、布団等に用いるカバー又はシーツの形状に関する。
【背景技術】
【０００２】
従来のカバー又はシーツは治療用(エステ)ベッド、ソファー、クッション、布団等に被せるとカバー又はシーツの色、柄になりベッド等の側地レザー、布とは違った外観になっていた。
【考案の開示】
【考案が解決しようとする課題】
【０００３】
しかしながら、以上の技術によれば、鮮やかな色を有する治療用(エステ)ベッド、ソファー、クッション、布団等の側地レザー、布に従来のカバーを被せることにより側地レザー、布の本来の色を損ねていた。
そこで、この考案は、ベッド等の本来のレザー、布等の色を出しデザイン的にも斬新で通気性、吸湿性、放湿性に優れるカバー又はシーツを提供することを課題とする。
【課題を解決するための手段】
【０００４】
以上の課題を解決するために、第一考案は、布帛の横糸と縦糸との織り方により透ける部分を作りその透けた部分から被せた治療用(エステ)ベッド、ソファー、クッション、布団等の色を出す事と通気性、吸湿性、放湿性に優れることを特徴とする。
また、第二考案は、布帛の原料がとうもろこし、和紙、麻、綿等で織られることによって抗菌性も備え、廃棄処分された場合にも地中で分解する事が出来る自然環境に適応していることを特徴とする。
【考案の効果】
【０００５】
第一の考案、第二の考案によれば、斬新なデザインにより色のコーディネイトが多彩になり、視覚より癒され個人の好みで選ばれたレザー、布等の色が生かされる。カバー等の素材は自然環境において分解性に優れているだけでなく通気性、吸湿性、放湿性、抗菌性にも優れているので安全です。
【考案を実施するための最良の形態】
【０００６】
この考案の一実施形態を、図１に示す。
カバー又はシーツ本体の布帛(１)は透ける部分である。
【０００７】
「実施形態の効果」
この実施形態によれば、布帛の透けた部分により被せた治療用(エステ)ベッド、ソファー、クッション、布団等の色が見えます。したがって色のコーディネイトと素材からの通気性、吸湿性、放湿性、抗菌性の実用性を兼ねることが出来ます。よって、被せる物の色により多様な色、柄となりカラーセラピー効果が得られます。
【０００８】
「他の実施形態」
図１の実施形態では、透ける部分が１方向であったが他の実施形態では様々な方向に複数の透ける部分、糸の太さ、染色を変更した物でも良い。布帛の原料の竹、とうもろこし、和紙、麻、綿製糸等の組み合わせは様々である。
【図面の簡単な説明】
【０００９】
【図１】この考案の外観図である。
【図２】この考案の拡大図である。
【符号の説明】
【００１０】
(１)  透ける部分       
【図１】
0003123470.tif 000003
【図２】
0003123470.tif 000004
【手続補正書】
【提出日】平成18年5月8日(2006.5.8)
【手続補正１】
【補正対象書類名】実用新案登録請求の範囲
【補正対象項目名】請求項１
【補正方法】変更
【補正の内容】
【請求項１】
布帛の横糸と縦糸との織り方により透ける部分を作り、その透けた部分から被せた治療用ベッド、エステベッド、ソファー、クッション、布団等の側地レザー及び布の色を出し、デザイン的にも斬新で通気性、吸湿性、放湿性に優れることを特徴とするカバー又はシーツ。